(57)【要約】【課題】鉄筋コンクリート系構造物の鉄筋の継手構造及び定着構造のそれぞれの効果の向上を図る。【解決手段】鉄筋の継手構造にあっては、配鉄筋３、４の端部をラップさせるとともにそのラップ端部３ａ、４ａをＵ字状に形成し、その両Ｕ字状端部に柱状剛体７を嵌めて両端部を一体化する。この剛体７が嵌まることにより、両Ｕ字状端部が一体となり、剛体７が剪断され得ないかぎりにおいて、その嵌まるＵ字状を小さくでき、小さな継手構造とし得る。鉄筋の定着構造にあっても、同じく配鉄筋の端部をＵ字状に形成し、そのＵ字状端部に剛体７を嵌めて、その剛体７に抜け止め作用を担うようにする。これにより、鉄筋に張力が働けば、剛体全体が抗面となり、鉄筋に比べれば、大表面で抗するため、小さな定着部でも、十分な効果を得ることができる。【選択図】　図５
2004003297.tif 000002
【特許請求の範囲】
【請求項１】
鉄筋コンクリート系構造物における鉄筋の継手構造であって、配鉄筋３、４、１１、１２の端部をラップさせるとともにそのラップ端部をＵ字状に形成し、その両Ｕ字状端部３ａ、４ａ、１１ａ、１２ａに剛体７を嵌めて両端部３ａ、４ａ、１１ａ、１２ａを一体化した鉄筋の継手構造。
【請求項２】
鉄筋コンクリート系構造物における鉄筋の定着構造であって、配鉄筋の端部をＵ字状に形成し、そのＵ字状端部に剛体７を嵌めて、その剛体７に抜け止め作用を担うようにさせた鉄筋の定着構造。
【請求項３】
請求項１又は２において、上記剛体７が筒体７ａにコンクリート７ｂを充填したものであることを特徴とする鉄筋コンクリート系構造物の鉄筋の継手構造又は鉄筋の定着構造。
【請求項４】
ボイドスラブを構築する際、床型枠上に、中空スラブユニットＵを並べて連結し、上下主鉄筋１１、１２、ボイド型枠２及び上下配筋３、４を配置したボイド型枠入り配筋構造であって、
上記中空スラブユニットＵは、上下対の上記主鉄筋１１、１２を所要数並行に設けて、その並列方向の上下配筋３、４を前記主鉄筋１１、１２に固定し、各対の上下主鉄筋１１、１２間には上記ボイド型枠２を設けたものであり、各中空スラブユニットＵは、請求項１又は３に記載の鉄筋の継手構造によって連結されていることを特徴とするボイド型枠入り配筋構造。
【請求項５】
請求項４において、中空スラブユニットＵの定着を、請求項２又は３に記載の鉄筋の定着構造としたことを特徴とするボイド型枠入り配筋構造。
【請求項６】
上記中空スラブユニットＵは、上記上下対の主鉄筋１１、１２が三角柱状トラス鉄筋を成すものであって、
上記トラス鉄筋１０は、三角柱状の各長辺の位置に１本の上主鉄筋１１と２本の下主鉄筋１２、１２を配置するとともに前記上主鉄筋１１と両下主鉄筋１２の間にそれぞれ斜鉄筋１３を設けたものであり、その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されており、
上記ボイド型枠２は、その下部両側がそれぞれ隣り合う三角柱状トラス鉄筋１０の斜鉄筋１３に当接するとともにその上面が上記上配筋３に当接し、その３点の当接によってトラス鉄筋１０間に固定されていることを特徴とするボイド型枠入り鉄筋構造。
【発明の詳細な説明】
【０００１】
【発明の属する技術分野】
この発明は、鉄筋コンクリート系構造物における鉄筋の継手構造及び定着構造、並びにそれらを使用したボイド型枠入り配筋構造に関するものである。
【０００２】
【従来の技術及びその課題】
図９に示す、集合住宅などの鉄筋コンクリート系構造物のスラブは、配筋した後、コンクリートを打設して構築される。その際、従来の鉄筋の継手構造は、図１０（ａ）に示すように鉄筋ａ、ａをラップさせ、また、鉄筋の定着構造は、同図（ｂ）に示すように鉄筋ａの端部を下方に折曲してのみこませている。このとき、継手及び定着を行った鉄筋ａが抜け出さないように、同図（ｃ）、（ｄ）に示すように、その端部をＵ字状にしたものもある。図中、Ｃはコンクリート層である。
【０００３】
同図（ａ）、（ｂ）に示す、継手及び定着構造において、十分な継手効果及び定着効果を得ようとすれば、ラップ長及び折曲長（のみこみ長）をいきおい長くすることとなる。この長くなることは、狭い場所での施工が困難となる。
【０００４】
また、同図（ｃ）、（ｄ）に示す、抜け止め構造は、鉄筋ａに引張力が働いた際、そのＵ字状部が抗することとなるが、その抗力面は鉄筋ａの表面であって、細く狭いものであるため、十分でない。
【０００５】
この発明は、狭いエリアで十分な継手効果及び定着効果を得るようにすることを課題とする。
【０００６】
【課題を達成するための手段】
上記課題を達成するために、この発明は、上記図１０（ｃ）、（ｄ）に示した端部Ｕ字状を採用し、そのＵ字状部にさらに剛体を嵌め込むこととしたのである。
【０００７】
この継手構造にあっては、剛体が嵌まることにより、両Ｕ字状端部が一体となり、剛体が剪断され得ないかぎりにおいて、その嵌まるＵ字状を小さくでき、小さな継手構造とし得る。また、定着構造にあっては、鉄筋に張力が働けば、剛体全体が抗面となり、鉄筋に比べれば、大表面で抗するため、小さな定着部でも、十分な効果を得ることができる。
【０００８】
ここで、Ｕ字状とは、円弧状、コ字状、Ｖ字状などの凹部を有する形状をいい、その凹部に剛体が嵌まって、鉄筋に張力が働いた時、その凹部から抜け出ない形状の全てをいう。
【０００９】
【発明の実施の形態】
この発明の鉄筋コンクリート系構造物における鉄筋の継手構造の実施形態としては、配鉄筋の端部をラップさせるとともにそのラップ端部をＵ字状に形成し、その両Ｕ字状端部に剛体を嵌めて両端部を一体化した構成などを採用し得る。
【００１０】
また、この発明の鉄筋コンクリート系構造物における鉄筋の定着構造の実施形態としては、配鉄筋の端部をＵ字状に形成し、そのＵ字状端部に剛体を嵌めて、その剛体に抜け止め作用を担うようにさせた構成を採用し得る。
【００１１】
上記剛体には、角柱、円柱などの種々の形状及び材質を採用し得るが、筒体にコンクリートを充填したものが安価である。形状は、好ましくは柱状がよい。筒体には、スパイラル鋼管などの薄肉鋼管、ＦＲＰ管などを採用し得る。
【００１２】
この継手構造及び定着構造は、種々の形態の鉄筋コンクリート系構造に採用し得るが、例えば、ボイドスラブを構築する際、床型枠上に、中空スラブユニットを並べて連結し、上下主鉄筋、ボイド型枠及び上下配筋を配置したボイド型枠入り配筋構造においては、前記中空スラブユニットは、上下対の上記主鉄筋を所要数並行に設けて、その並列方向の上下配筋を前記主鉄筋に固定し、各対の上下主鉄筋間には上記ボイド型枠を設けたものとし、その各中空スラブユニットを、上記鉄筋の継手構造又は定着構造によって連結したり、定着したりし得る。前記上下配筋の主鉄筋への固定には、溶接、番線締結などの種々の手段を採用できるが、例えば、上主鉄筋下面に上配筋を当接するだけで、その上配筋が位置決め固定されるものも含む。
【００１３】
このとき、上記中空スラブユニットは、上記上下対の主鉄筋が三角柱状トラス鉄筋を成すものであって、前記トラス鉄筋は、三角柱状の各長辺の位置に１本の上主鉄筋と２本の下主鉄筋を配置するとともに前記上主鉄筋と両下主鉄筋の間にそれぞれ斜鉄筋を設けたものであり、その斜鉄筋は、下端から斜めに起立し上端で屈曲しさらに下端で起立を繰り返す波形を呈して上端部及び下端部で前記上主鉄筋及び下主鉄筋にそれぞれ溶接されており、前記ボイド型枠は、その下部両側がそれぞれ隣り合う三角柱状トラス鉄筋の斜鉄筋に当接するとともにその上面が上記上配筋に当接し、その３点の当接によってトラス鉄筋間に固定されている構成のものを採用し得る。
【００１４】
このユニットにあっては、隣り合う三角柱状トラス鉄筋の斜鉄筋が下方に向かって近づくＶ字状をなし、その内にボイド型枠が嵌っているため、そのボイド型枠の左右及び下方への移動は阻止され、上配筋でボイド型枠の上面を押さえれば、上方への移動は阻止される。すなわち、ボイド型枠はスラブの強度を担う上配筋と両斜鉄筋とによって固定される。このため、ユニットの構造が簡単であり、安価なものとなる。
【００１５】
【実施例】
この実施例は、図９に示す集合住宅の中空スラブ構造を、図６で示すユニットＵで構築する場合を示し、そのユニットＵは、図６に示すように、矩形鉄板１の上に、三角柱状トラス鉄筋１０を並行に配設するとともに、その各トラス鉄筋１０間にボイド型枠２を配設し、そのトラス鉄筋１０の並行方向の上配筋３及び下配筋４をトラス鉄筋１０の上部及び下部に溶接している。ボイド型枠２には、スパイラル管等の薄肉鋼管、ＦＲＰ管、発泡樹脂中実管などのものを使用でき、その断面形状は円状、楕円状、多角形状などとし得る。
【００１６】
上記三角柱状トラス鉄筋１０は、三角柱状の各長辺の位置に１本の上主鉄筋１１と２本の下主鉄筋１２、１２を配置するとともに前記上主鉄筋１１と両下主鉄筋１２の間にそれぞれ斜鉄筋１３を設けたものである。その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されている。また、斜鉄筋１３の下端が鉄板１に溶接されて、トラス鉄筋１０は鉄板１と一体になっている。
【００１７】
上記ボイド型枠２は、その下部両側がそれぞれ隣り合うトラス鉄筋１０の斜鉄筋１３に当接するとともにその上面が上記上配筋３に当接し、その３点１３ａ、１３ａ、３ｂの当接によってトラス鉄筋１０、１０間に固定されている（図３参照）。このため、ボイド型枠２はそれらの筋１０、３の組み立てと同時に固定されることとなる。
【００１８】
上下配筋３、４は、それぞれ２本が対となって鉄板１の側方に突出してＵ字状に連結されており、一側側のＵ字状部（連結部）３ａ、４ａは他側側の連結部３ａ、４ａに対し、少し下位又は上位に位置するように設定されており、後述の図３のごとく、ユニットＵを連結してそれらがラップした際、その両Ｕ字状部３ａ、４ａは、各ユニットＵの鉄板１が同一レベルを保って重なり合う。
【００１９】
上下主鉄筋１１、１２の両端は鉄板１から突出し、各上主鉄筋１１のその突出部から対の斜板片５が斜め下方に設けられて溶接されている。
【００２０】
このユニットＵによって、中空スラブＳのボイド型枠入り配筋構造を成すには、図１、図２に示すように、躯体の各階の柱（梁）をなすＨ型鋼６間にこのユニットＵの所要数を掛け渡して配置する。そのとき、図２に示すように、Ｈ型鋼６上に斜板片５を載置し、必要に応じて溶接等を行って各ユニットＵを固定する。また、各ユニットＵの連結部におけるＵ字状部３ａ、４ａのラップ部には、スパイラル鋼管７ａにコンクリート７ｂを充填した剛体７を嵌め込む。
【００２１】
各ユニットＵの配置が修了すれば、その上にコンクリートＣを打設して中空スラブを構築する。このとき、鉄板１は捨て型枠とする。
【００２２】
この実施例において、図７に示すように、ユニットＵの長さ方向においても、同様な継手構造を採用することができる。この場合には、上下主鉄筋１１、１２の端部にＵ字状部１１ａ、１２ａを形成することとなる。また、このユニットＵは鉄板１を除去したものとし得る。この場合には、床型枠を別途に設ける必要がある。
【００２３】
実施例では、剛体７を上下方向からＵ字状部３ａ、４ａに嵌め込むようにしたので、その嵌入が容易であるが、図８（ａ）、（ｂ）に示すように、横から嵌入する構造も採用できる。
【００２４】
【発明の効果】
この発明は、以上のように剛体でもって鉄筋継手部の接合強度又は鉄筋定着部の定着強度を高めるようにしたので、その継手部の鉄筋ラップ長又は定着部の定着長さを極力少なくすることができ、これにより、それらの狭い個所での施工が容易となって、施工スピードの向上を図ることができるとともに、鉄筋継手部又は定着部からなる接合部の拘束によって鉄筋コンクリート系構造物の強度が向上し、その構造物からなる建物の安全性が高まる。
【図面の簡単な説明】
【図１】一実施例による中空スラブの施工例の説明図であって、中空スラブユニットの配置図
【図２】同要部切断正面図
【図３】図１の要部切断側面図
【図４】図１の要部拡大図
【図５】図１の要部斜視図
【図６】中空スラブユニットを示し、（ａ）は平面図、（ｂ）は正面図、（ｃ）は底面図
【図７】他の実施例の要部斜視図
【図８】他実施例を示し、（ａ）は鉄筋の継手構造、（ｂ）は鉄筋の定着構造
【図９】中空スラブの施工例の概略図
【図１０】従来例の各例の概略図
【符号の説明】
１　鉄板
２　ボイド型枠
３　上配筋
３ａ　Ｕ字状部
４　下配筋
４ａ　Ｕ字状部
５　斜板片
６　Ｈ型鋼
７　剛体
７ａ　筒体
７ｂ　コンクリート
１０　三角柱状トラス鉄筋
１１　上主鉄筋
１２　下主鉄筋
１３　斜鉄筋
Ｃ　コンクリ−ト
Ｓ　中空スラブ
Ｕ　中空スラブユニット
【図１】
2004003297.tif 000003
【図２】
2004003297.tif 000004
【図３】
2004003297.tif 000005
【図４】
2004003297.tif 000006
【図５】
2004003297.tif 000007
【図６】
2004003297.tif 000008
【図７】
2004003297.tif 000009
【図８】
2004003297.tif 000010
【図９】
2004003297.tif 000011
【図１０】
2004003297.tif 000012